(57)【要約】【課題】追いかけ再生を行いながら、記録されたデータを検証し、品質が悪いセクタに対して再書き込みを行うことで、記録されたデータの信頼性向上を図ることができる装置を提供する。【解決手段】映像音声データ記録再生装置において、復調データに基づいて記録されたデータの品質を評価するデータ品質判定手段２０１、復調手段１０９出力を誤り訂正手段１１０に入力するか、データ品質判定手段２０１に入力するかを切換える切換手段２０２を備える。【選択図】            図１
2004158153.tif 000002
【特許請求の範囲】
【請求項１】
データを記録媒体に記録するデータ記録手段と、前記記録媒体に記録されたデータを復調する復調手段と、前記復調手段から出力される復調データの誤り訂正を行う誤り訂正手段とを有し、入力される要求に基づいて記録再生を行う映像音声データ記録再生装置において、
前記復調データに基づいて記録されたデータの品質を評価するデータ品質判定手段と、
前記復調手段出力を前記誤り訂正手段に入力するか、前記データ品質判定手段に入力するかを切換える切換手段と、を備えたことを特徴とする映像音声データ記録再生装置。
【請求項２】
前記切換手段は、前記入力される要求に基づいて、切換制御されることを特徴とする請求項１に記載の映像音声データ記録再生装置。
【請求項３】
前記入力された要求がデータ記録のみの際は、データを記録媒体に記録し、前記データ品質判定手段を用いて記録データの品質を評価し、品質が悪いセクタに対して再書き込みを行わせる制御を行い、
入力された要求がデータ記録要求及び既録画データ再生要求の際には、前記品質の評価を停止する制御を行うことを特徴とする請求項１又は２に記載の映像音声データ記録再生装置。
【請求項４】
前記入力された要求がデータ記録要求及び既録画データ再生要求の際は、データを記録媒体に記録し、前記データ品質判定手段を用いて記録データの品質を評価し、品質が悪いセクタに対して再書き込みを行うとともに、既録画データを再生することを特徴とする請求項１又は２に記載の映像音声データ記録再生装置。
【発明の詳細な説明】
【０００１】
【発明の属する技術分野】
本発明は映像音声信号などをディスク等の記録媒体に記録する装置に関するものであり、特に記録データの信頼性確保に関するものである。
【０００２】
【従来の技術】
家庭用ビデオテープレコーダ（ＶＴＲ）等は一般家庭に広く普及しており、その機能のひとつとして予約録画がある。予約録画はユーザが指定した番組を自動的に録画する機能であり、その場にユーザが不在であっても指定番組の録画が可能であり、録画終了後ユーザにとって都合のよい時間にその録画内容を見ることができる。しかし、家庭用ＶＴＲにおいては、予約録画を設定した場合予約録画終了前にその録画内容を見ることが出来ない。つまりユーザは予約録画が終了するのを待ってからでないと録画内容を見ることが出来ないという欠点を有していた。
【０００３】
このような問題を解決するため、録画実行中でも内容をその冒頭部分から見ることが出来る方法が従来からも提案されている（例えば、特許文献１、特許文献２参照。）。このように記録中であってもその録画内容の冒頭から自由に視聴できる方法は、一般に追いかけ再生と呼ばれている。追いかけ再生は記録と再生を交互に繰り返し行うことによって実現される。したがって、記録媒体に記録再生するデータレートは、動画データ記録に必要な記録データレートと動画再生に必要な再生データレートの加算値よりも大きいことが必要である。動画データの記録に必要な記録データレート及び動画再生に必要な再生データレートは５〜１１Ｍｂｐｓ程度である。一方、追いかけ再生の機能のない装置では、記録媒体に記録再生するデータレートは動画データの記録データレートよりも大きいだけでよく、そのような装置では記録媒体に記録再生するデータレートとして一般に１１．５Ｍｂｐｓ程度が採用されていた。
【０００４】
動画データ記録に必要な記録データレートと動画再生に必要な再生データレートは等しく、今これをｒとすると、記録媒体に記録再生するデータレートがｒであるものは一般に１倍速ドライブと呼ばれている。同様に記録媒体に記録再生するデータレートがｒのｎ倍であるものはｎ倍速ドライブと呼ばれている。
【０００５】
追いかけ再生機能を実現するためには２倍速ドライブ以上の能力を持ったドライブシステムが必要となる。
【０００６】
追いかけ再生機能のない装置の場合ユーザは実行中の録画の終了を待ってその内容を視聴し、追いかけ再生機能のある装置の場合ユーザは記録中でもその内容を視聴することが出来た。
【０００７】
次に、記録媒体に光ディスクを用いた追いかけ再生機能付きの映像音声データ記録再生装置の従来例について、図２乃至図３に基づいて以下説明する。図２はブロックの構成を示す図であり、図３は、上位システム，ドライブシステム間の制御を説明する図である。
【０００８】
図２において、１０１は上位装置１２０からドライブシステム１３０に送られる記録データ、１０２は記録データ１０１及び再生データ１１１を格納するためのデータバッファ、１０３はデータバッファ１０２から転送されたデータにＥＣＣ（Ｅｒｒｏｒ  Ｃｏｒｒｅｃｔｉｏｎ  Ｃｏｄｅ）を付加するためのＥＣＣ付加手段、１０４はＥＣＣ付加手段１０３から転送されたデータを変調するための変調器、１０５は変調器１０４のデータをレーザパワーの強弱に変えるレーザ制御手段、１０６は光学ピックアップ、１０７はディスク、１０８はディスク１０７から再生されたＲＦ信号を処理するＲＦ信号処理手段（ＲＦ信号復調手段は、後述する復調手段に含まれる場合がある。）、１０９はＲＦ信号処理手段１０８のデータを復調する復調器（「復調器」は「復調手段」と同義である。以下本明細書中にて同じ。）、１１０は復調器１０９のデータの誤り訂正を行う誤り訂正手段、１１１はドライブシステム１３０から上位システム１２０に転送される再生データ、１１２はこれらの制御対象を制御するためのドライブ制御手段、１１３は上位システム１２０からドライブシステム１３０に対する命令であり、「記録実行」，「再生実行」がある。１１４は上位システム１２０に対する記録要求、１１５は上位システム１２０に対する再生要求、１１６は上位システム１２０に返されるドライブシステム１３０の実行結果であり、「成功」，「失敗」がある。１２０は上位システムである。１３０はドライブシステムであり上位システム１２０以外の制御手段で構成される。
【０００９】
まず、ドライブシステム１３０のデータ記録手順の説明を行う。ドライブシステム１３０における記録の実行は上位システム１２０から記録実行命令が発行されることによって開始される。上位システム１２０から出力された記録データ１０１はまずデータバッファ１０２に蓄積される。ドライブ制御手段１１２はデータバッファ１０２に蓄積されたデータ量が適切な量になるとそのデータの書き出しを指示する。データバッファ１０２から取り出された記録データはＥＣＣ付加手段１０３によってＥＣＣを付加される。そのデータは変調器１０４に送られそこで変調された後レーザ制御手段１０５に送られる。レーザ制御手段１０５は変調データに応じてレーザのパワーの強弱を制御し、光学ピックアップ１０６を経由してディスク１０７にデータの記録を行う。実行終了後ドライブシステム１３０は実行結果１１６によって上位システムにその結果を知らせる。
【００１０】
次に、ドライブシステム１３０のデータ再生手順の説明を行う。ドライブシステム１３０における再生の実行は上位システム１２０から再生実行命令が発行されることによって開始される。ディスク１０７に記録されたデータは光学ピックアップ１０６にて読み出されその出力信号はＲＦ信号処理手段１０８に入力される。ＲＦ信号処理手段１０８では入力されたアナログ信号を処理し復調器１０９にデータを入力する。復調器１０９では入力された信号を復調し誤り訂正手段１１０にデータを出力する。誤り訂正手段１１０は入力されたデータの誤り訂正を行い、訂正後のデータをデータバッファ１０２に送出する。データバッファ１０２に格納された読み出しデータは再生データ１１１として上位システム１２０に出力される。実行終了後ドライブシステム１３０は実行結果１１６によって上位システムにその結果を知らせる。
【００１１】
更に、装置全体の動作説明を行う。記録要求１１４が有効であり再生要求１１５が無効である場合、上位システム１２０はドライブシステム１３０に対して命令１１３を「記録実行」として発行する。これによりドライブ制御手段１１２は各制御手段に対して先に説明したデータ記録手順にしたがった制御を行う。
【００１２】
記録要求１１４が無効であり再生要求１１５が有効である場合、上位システム１２０はドライブ制御手段１１２に対して命令１１３を「再生実行」として発行する。これによりドライブ制御手段１１２は各制御手段に対して先に説明したデータ再生手順にしたがった制御を行う。
【００１３】
記録要求１１４が有効である時に再生要求１１５が入力された場合、つまり記録中に追いかけ再生を要求された場合、上位システムは記録処理の合間を縫ってドライブシステム１３０に対して命令１１３を「再生実行」として発行する。
【００１４】
この様子を、図３を用いて説明を行う。ここではドライブシステムの能力として、２倍速ドライブを想定して図示している。図３において、３０１は上位システム１２０が記録要求１１４により記録要求されたタイミング、３０２は上位システム１２０が再生要求１１５により再生要求されたタイミング、３０３から３０８は上位システム１２０がドライブ制御手段１１２に発行したコマンド１１３であり、「Ｗ」は「書き込み実行」、「Ｒ」は「再生実行」を示す。３０９から３１４はドライブ制御手段１１２の実行処理を示すものである。タイミング３０１から３０２の間、つまりデータの記録要求のみ有効の場合においては、上位システム１２０はドライブシステム１３０に対して記録コマンドを適切な間隔で発行しドライブシステム１３０にデータの記録を行わせる。命令３０４で記録されるデータは命令３０３発行後に受信したデータであり、その記録実行３１０に要する時間は命令３０３発行から命令３０４発行までの間隔の約半分の時間となる。
【００１５】
タイミング３０２以降すなわち追いかけ再生が要求されると上位システム１２０は記録の合間を縫ってドライブシステム１３０に対して再生実行のコマンド１１３を発行しドライブシステム１３０にデータの再生を行わせる。もちろんこのような追いかけ再生が可能なのは、記録媒体に記録再生するデータレートが動画データ記録に必要な記録データレートと動画再生に必要な再生データレートの加算値よりも大きいという能力を有するドライブシステムに限られるもので２倍速を下回るドライブではこれを実現するのが困難である。
【００１６】
従い、従来の追いかけ再生機能付きの映像音声データ記録再生装置においては、ドライブシステム１３０に対して記録や再生を行わせるだけで記録データの検証は行われておらず、ユーザがそれを視聴する時に初めて記録データの問題に気がつく結果になっていた。なお、従来、記録されたデータをチェックし、再記録する技術思想はあるが、追いかけ再生機能付きの映像音声データ記録再生装置にて、それを実現できるものはない。
【００１７】
【特許文献１】
特開平６−１４２８８号公報
【００１８】
【特許文献２】
特開２００１−１１８３３６号公報
【００１９】
【発明が解決しようとする課題】
追いかけ再生機能のない装置では、上位システム１２０から出力されるデータレート（ドライブシステム１３０からみれば入力）よりも、ドライブシステム１３０の記録データレート（ドライブシステム１３０からみれば出力）の方が大きいため、記録媒体に記録再生するデータレートは動画データの記録データレートよりも大きいだけでよい。その場合、記録データが正しく書けたかどうかの検証を行うことが不可能であり書き込み後のベリファイを実行することができない。
【００２０】
したがってこれらの装置においては、サーボや記録媒体の影響でディスクにデータが正しく書き込まれなかった場合でも、装置としてはそれに気づくことが出来ず、ユーザがそれを視聴する時に初めて記録データの問題に気がつくことになる。自分の所望の番組を予約録画し自分の都合のよい時間にそれを視聴しようと考えていたユーザにとっては、それを正しく再生出来ないことは非常に腹立たしいことであり、装置に対する信頼性を著しく低下させるものである。
【００２１】
【課題を解決するための手段】
本発明は、データを記録媒体に記録するデータ記録手段と、前記記録媒体に記録されたデータを復調する復調手段と、前記復調手段から出力される復調データの誤り訂正を行う誤り訂正手段とを有し、入力される要求に基づいて記録再生を行う映像音声データ記録再生装置において、前記復調データに基づいて記録されたデータの品質を評価するデータ品質判定手段と、前記復調手段出力を前記誤り訂正手段に入力するか、前記データ品質判定手段に入力するかを切換える切換手段と、を備える映像音声データ記録再生装置である。
【００２２】
また、前記切換手段は、前記入力される要求に基づいて、切換制御されるものである。
【００２３】
さらに、前記入力された要求がデータ記録のみの際は、データを記録媒体に記録し、前記データ品質判定手段を用いて記録データの品質を評価し、品質が悪いセクタに対して再書き込みを行わせる制御を行い、入力された要求がデータ記録要求及び既録画データ再生要求の際には、前記品質の評価を停止する制御を行う。
【００２４】
さらには、前記入力された要求がデータ記録要求及び既録画データ再生要求の際は、データを記録媒体に記録し、前記データ品質判定手段を用いて記録データの品質を評価し、品質が悪いセクタに対して再書き込みを行うとともに、既録画データを再生する。
【００２５】
【発明の実施の形態】
本発明の実施の形態について図１，図４，図５乃至図６に基づき以下説明する。図１は本発明の構成を示す機能ブロック図である。図４は本発明の２倍速ドライブを用いた場合の上位システム，ドライブシステム間の制御を示す図、図５は本発明の４倍速ドライブを用いた場合の上位システム，ドライブシステム間の制御を示す図、図６は本発明の４倍速ドライブを用いた場合で検証異常が検出された場合の上位システム，ドライブシステム間の制御を示す図である。なお、本発明はこれら実施の形態に何ら限定されるものではなく、その要旨を逸脱しない範囲において、種々なる態様で実施しうる。
【００２６】
（本発明の全体像：請求項１、２などの説明）
【００２７】
本発明は、データ品質判定手段と、誤り訂正手段とのいずれかを選択して復調データを入力するかを、切換える切換手段を備えたことに特徴を有する映像音声データ記録再生装置である。
【００２８】
図１に示すブロック図で、本発明の構成要素を説明する。図２で示した従来と同様の構成要素は同じ符号を用い、重複する部分の説明は省略する。本発明のドライブシステム１３０Ａは、データ記録手段（レーザ制御手段などを含む概念である。）と、復調手段（復調器）１０９と、誤り訂正手段１１０と、さらに、データ品質判定手段２０１と、切換手段（「選択手段」は「切換手段」と同義である。以下、本明細書中にて同じ。）２０２とからなる。その他の構成要素は、必ずしも本発明に関しては必須の構成要素ではない。また、ドライブ制御手段１１２を含む場合もある。
【００２９】
図１において従来と異なる構成は、復調器１０９から送られてくるデータの品質を判定するデータ品質判定手段２０１、復調器１０９のデータを誤り訂正手段１１０に入力するかデータ品質判定手段２０１に入力するかを選択する選択手段２０２が新たに設けられた点である。
【００３０】
本発明は追いかけ再生が可能なドライブシステム、つまり記録媒体に記録再生するデータレートが、動画データ記録に必要な記録データレートと、動画再生に必要な再生データレートの加算値よりも大きいという能力を有するドライブシステム、すなわち２倍速ドライブ以上のドライブシステムに対して適用される。
【００３１】
また、本発明は、データ品質判定手段２０１及び選択手段２０２を新たに設け、これらを用いてディスクから復調されたデータの品質の評価を行うものである。
【００３２】
データ品質判定手段２０１の実現例の一例として、例えば再生データに含まれる誤りデータの個数を評価する方法がある。
【００３３】
一般に光ディスク等の記録媒体では媒体自体に含まれる欠陥や、記録媒体表面の埃などの影響により再生データに一定確率で誤りが含まれる。それを訂正するために記録データにはユーザデータに加えてＥＣＣが付加されており、データ復調時には誤り訂正手段１１０において、ＥＣＣを用いて、誤りデータの訂正を行い正しくなったデータが再生データとして採用されることになる。
【００３４】
データ品質判定手段２０１は、前述した誤りデータを検出するとともに、内部に備えた閾値とやはり内部に備えた比較手段にて、検出されたデータと閾値とを比較することで、記録が正しく行われたかを判定し、判定結果をドライブ制御手段１１２に出力する。ドライブ制御手段１１２に入力された判定結果は、上位システム１２０に出力され、上位システム１２０は記録が正しく行われなかった場合、ドライブ制御手段１１２に対し、正しく行われなかったセクタに光学ピックアップ１０６を移動させる命令、データバッファ１１０からの再書き込みデータの出力等、再書き込みの命令を出力する。
【００３５】
なお、その他のドライブシステム１３０Ａのデータ記録手順は先に説明した従来例と同じである。
【００３６】
（再生動作の基本的説明）
【００３７】
ドライブシステム１３０Ａにおける再生の実行は上位システム１２０から再生実行命令が発行されることによって開始される。データ再生時はドライブ制御手段１１２によって選択手段２０２が動作させられ、復調器１０９の出力は誤り訂正手段１１０に接続されている。ディスク１０７に記録されたデータは光学ピックアップ１０６にて読み出されその出力信号はＲＦ信号処理手段１０８に入力される。ＲＦ信号処理手段１０８では入力されたアナログ信号を処理し復調器１０９にデータを入力する。復調器１０９では入力された信号を復調し誤り訂正手段１１０にデータを出力する。誤り訂正手段１１０は入力されたデータの誤り訂正を行い訂正後のデータをデータバッファ１０２に送出する。データバッファ１０２に格納された読み出しデータは再生データ１１１として上位システム１２０に出力される。実行終了後ドライブシステム１３０Ａは実行結果１１６によって上位システムにその結果を知らせる。
【００３８】
また、データ検証時においては、選択手段２０２は、復調器１０９の出力をデータ品質判定手段２０１に接続するようドライブ制御手段１１２によって制御されている。
【００３９】
（データ検証動作の基本的説明）
【００４０】
続いて、本発明の特徴であるデータ検証手順（「検証」は「品質判定」と同義である。以下本明細書中にて同じ。）の説明を行う。ドライブシステム１３０Ａにおけるデータ検証の実行は上位システム１２０から検証実行命令が発行されることによって開始される。データ検証時においては、選択手段２０２は、復調器１０９の出力をデータ品質判定手段２０１に接続するようドライブ制御手段１１２によって制御されている。ディスク１０７に記録されたデータは光学ピックアップ１０６にて読み出されその出力信号はＲＦ信号処理手段１０８に入力される。ＲＦ信号処理手段１０８では入力されたアナログ信号を処理し復調器１０９にデータを入力する。復調器１０９では入力された信号を復調する。復調器１０９の出力は選択手段２０２によりデータ品質判定手段２０１に接続されている。データ品質判定手段２０１は入力されたデータの品質を判定する。実行終了後ドライブシステム１３０Ａは実行結果１１６によって上位システムにその結果を知らせる。上位システムは、その際、記録されたデータの品質が所定の水準に達していないとの評価結果である場合に、前記所定の水準に達していない前記記録媒体のセクタに対する再書き込みを行わせるために、その結果をドライブ制御手段１１２に命令する。ここで「所定の水準」とは、具体的には、データの誤り率などにより、判定することができる。
【００４１】
（記録要求のみがある場合の処理の説明：請求項３の前段などの説明）
【００４２】
次に、装置全体の動作説明を図１，図４を用いて説明する。図１において、記録要求１１４が有効であり再生要求１１５が無効である場合、上位システム１２０はドライブシステム１３０Ａに対して命令１１３を「記録実行」として発行することと命令１１３を「検証実行」として発行することを繰り返し行う。この詳細な説明は図４を用いて後述する。また、前述のように、上位システムは、その際、記録されたデータの品質が所定の水準に達していないとの評価結果である場合に、前記所定の水準に達していない前記記録媒体のセクタに対する再書き込みを行わせる命令をドライブ制御手段１１２に与える。
【００４３】
（再生要求のみがある場合の処理の説明）
【００４４】
記録要求１１４が無効であり再生要求１１５が有効である場合、上位システム１２０はドライブ制御手段１１２に対して命令１１３を「再生実行」として発行する。
【００４５】
これによりドライブ制御手段１１２は各手段に対して先に説明したデータ再生手順にしたがった制御を行う。
【００４６】
（記録要求と再生要求の同時処理：請求項３の後段などの説明）
【００４７】
記録要求１１４が有効である時に再生要求１１５が入力された場合、つまり記録中に追いかけ再生を要求された場合、上位システム１２０は記録の合間を縫ってドライブシステム１３０Ａに対して再生実行のコマンド１１３を発行しドライブシステム１３０Ａにデータの再生を行わせる。この様子は図３に示した従来例と同様である。
【００４８】
（記録要求のみから記録再生要求に変化する場合：請求項３の説明）
【００４９】
また、本発明の記録，追いかけ再生の様子を、図４を用いて説明をする。ここではドライブシステムの能力として、２倍速ドライブを用いた場合を図示している。図４において、４０１は上位システム１２０が記録要求１１４から記録要求されたタイミング、４０２は上位システム１２０が再生要求１１５から再生要求されたタイミング、４０３から４１０は上位システム１２０がドライブ制御手段１１２に発行したコマンド１１３、ここで「Ｗ」は「書き込み実行」、「Ｒ」は「再生実行」、「Ｖ」は「検証実行」を示す。４１１から４１８はドライブ制御手段１１２の実行処理を示すものである。
【００５０】
（変化前：請求項３前段などの説明）
【００５１】
タイミング４０１から４０２の間、つまりデータの記録要求のみ有効の場合においては、上位システム１２０はドライブ制御手段１２０に対して命令１１３を「書き込み実行」，「検証実行」の交互にして発行する。たとえば命令Ｖ４０４は直前の命令Ｗ４０３で記録したデータの検証を要求するものである。
【００５２】
その検証結果としてドライブシステム１３０Ａから実行結果１１６としてエラーが返された場合、上位システム１２０はその箇所の再書き込み処理を行い、品質の悪いセクタに対して再書き込みを行うことで、読出し時のデータの信頼性を向上させる。このように記録，検証を交互に行うことが可能なのはドライブシステムが２倍速の能力を有しているからである。
【００５３】
（変化後：請求項３後段などの説明）
【００５４】
タイミング４０２以降は、データ記録要求と既録画データ再生要求に基づいて、記録、再生が同時に行われる。（ここでいう「既録画データ」には、画像データの他に、画像と音声、音声のみのデータも含まれる場合もある。また、「同時」は記録、再生のタイミングが一致する場合の他、連続的に繰り返される場合等広く含む概念である。）すなわち、タイミング４０２以降は、追いかけ再生が要求された状態であり、上位システム１２０は命令１１３として出力していた検証実行命令の発行を止め、従来例同様追いかけ再生用のデータを読み出すための再生実行命令を発行する。
【００５５】
以上の説明においては、ドライブシステムの能力として２倍速ドライブを想定していたため追いかけ再生中は記録データの検証を行うことが時間的に不可能であったが、ドライブシステムとして例えば３倍速ドライブや４倍速ドライブを用いれば追いかけ再生中でも記録，検証，再生を続けて行うことが出来るためさらに信頼性の高い装置を構築することが可能である。
【００５６】
次に、追いかけ再生の際にも、品質評価を行い、品質が悪いセクタに対しては再書き込みを行うことに特徴を有する映像音声データ記録再生装置について説明する。
【００５７】
（記録、再生、検証が同時に行われる場合の説明）
【００５８】
図５は、本発明の４倍速ドライブを用いた記録，検証，追いかけ再生の様子を示したものである。図５において、５０１は上位システム１２０が記録要求１１４から記録要求されたタイミング、５０２は上位システム１２０が再生要求１１５から再生要求されたタイミング、５０３から５１２は上位システム１２０がドライブ制御手段１１２に発行したコマンド１１３、ここで「Ｗ」は「書き込み実行」、「Ｒ」は「再生実行」、「Ｖ」は「検証実行」を示す。５１３から５２２はドライブ制御手段１１２の実行処理を示すものである。タイミング５０１から５０２の間、つまりデータの記録要求のみ有効の場合においては、上位システム１２０はドライブ制御手段１２０に対して命令１１３を「書き込み実行」，「検証実行」の交互にして発行する。
【００５９】
たとえば命令Ｖ５０４は直前の命令Ｗ５０３で記録したデータの検証を要求するものである。ここで、命令５０５で記録されるデータは命令５０３発行後に受信したデータであり、その記録実行５１５に要する時間は命令５０３発行から命令５０５発行までの間隔の約４分の１の時間となる。
【００６０】
（その１  記録、検証、再生）
【００６１】
タイミング５０２以降すなわち追いかけ再生が要求されると上位システム１２０は命令１１３として出力していた記録実行命令，検証実行命令に加え、再生実行命令を発行する。このように３倍速ドライブを越える能力を持ったドライブシステムを用いることにより、追いかけ再生中でも記録データの検証を行うことが可能となりさらなる高信頼性を有する装置を実現することが可能である。
【００６２】
（その２  記録、検証、再書込み、再生：請求項４などの説明）
【００６３】
次に４倍速ドライブを用いた場合において検証でデータ品質が悪いことが判明した場合の例を図６に示す。図６において６０１は上位システム１２０が記録要求１１４から記録要求されたタイミング、６０２は上位システム１２０が再生要求１１５から再生要求されたタイミング、６０３から６１９は上位システム１２０がドライブ制御手段１１２に発行した命令１１３、「Ｗ」「Ｒ」「Ｖ」の意味は図５と同じである。６５０から６６６はドライブ制御手段１１２の実行処理を示すものでありその下に付与されている数字は記録，検証，再生を行っているセクタのアドレスを示す。ここで”０ｘ”は後続の数値が１６進数であることを示す。
【００６４】
図５と同様に、タイミング６０１からタイミング６０２の間は、記録要求１１４によって指示されたアドレスへの記録そして検証を行う。タイミング６０２以降は記録，検証に加えて再生の処理を行う。
【００６５】
（書き込みデータ品質が悪い場合の再生同時再書込み処理）
【００６６】
図６は、記録命令６０８によってセクタアドレス０ｘ１２５１に書き込んだデータの品質が悪く、検証命令６０９による検証処理６５６にて異常が発見された時の様子を表したものである。アドレス０ｘ１２５１への再書き込みは追いかけ再生の合間をぬって行われる。図６において追いかけ再生を行うための命令は６０７，６１０，６１４，６１８であり、それによって行われる処理は６５４，６５７，６６１，６６５である。検証処理６５６で異常を検知した上位システム１２０は、命令６１１にてドライブシステム１３０Ａに再書き込みを行わせ、さらに命令６１２にてドライブシステム１３０Ａに再書き込みデータの検証を行わせる。
【００６７】
このように、本発明を用いると４倍速以上のドライブシステムを用いた場合、追いかけ再生を行いながらも信頼性の高いシステムを構築することが可能となる。
【発明の効果】
以上説明したように、本発明によれば追いかけ再生機能を備えた装置において、追いかけ再生を行いながら、記録されたデータを検証し、品質が悪いセクタに対して再書き込みを行うことで、記録されたデータの信頼性向上を図ることが可能となり、ユーザが再生して、その時になって初めて録画されていないことに気づく、という不具合を防止できる装置を実現できる。
【００６８】
また、データ記録時のみ、記録されたデータの検証を行う制御をすることで、ドライブシステムが２倍速のドライブシステムにおいても、記録データの検証を行うことができ、記録されたデータの信頼性を向上させる装置を実現できる。
【図面の簡単な説明】
【図１】本発明の機能ブロック構成図
【図２】従来例の機能ブロック構成図
【図３】従来例における上位システム，ドライブシステム間の制御を示す図
【図４】本発明において２倍速ドライブを用いた場合の上位システム，ドライブシステム間の制御を示す図
【図５】本発明において４倍速ドライブを用いた場合の上位システム，ドライブシステム間の制御を示す図
【図６】本発明において４倍速ドライブを用いた場合において検証でデータ品質が悪いことが判明した場合の上位システム，ドライブシステム間の制御を示す図
【符号の説明】
１０１    記録データ
１０２    データバッファ
１０３    ＥＣＣ付加手段
１０４    変調器
１０５    レーザ制御手段
１０６    光学ピックアップ
１０７    ディスク
１０８    ＲＦ信号処理手段
１０９    復調器
１１０    誤り訂正手段
１１１    再生データ
１１２    ドライブ制御手段
１１３    命令
１１４    記録要求
１１５    再生要求
１１６    実行結果
１２０    上位システム
１３０    従来のドライブシステム
１３０Ａ  本発明のドライブシステム
２０１    データ品質判定手段
２０２    選択手段
【図１】
2004158153.tif 000003
【図２】
2004158153.tif 000004
【図３】
2004158153.tif 000005
【図４】
2004158153.tif 000006
【図５】
2004158153.tif 000007
【図６】
2004158153.tif 000008